(57)【要約】【課題】パスワード入力装置において、パスワードの漏洩を防止すると共に、ユーザがパスワードを再入力する際の手間を軽減させる。【解決手段】ディスプレイ２１には、複数のボタン画像１２２ａ〜１２２ｊを含む選択入力画像１２２や、パスワード入力画像１２３や、メッセージ画像１２４が表示されている。ボタン画像１２２ａ〜１２２ｊのそれぞれは、数字等がランダムに割当てられており、リモコン装置の数字キーのそれぞれに対応している。リモコン装置３における任意の数字キーを選択すると、選択された数字キーの配置に対応するボタン画像１２２ａ〜１２２ｊに割当てられた値をパスワードとして入力する。制御用マイコンは、２桁目以降のパスワードの値が入力されると、入力された値が正しいか否かを判断し、正しくない場合、ディスプレイ２１上に、その桁のパスワードが間違っている旨のメッセージと共に、パスワードの再入力を促すメッセージを表示する。【選択図】図４
2009301208.tif 000002
【特許請求の範囲】
【請求項１】
各種メッセージや、複数の数字や文字等のボタン画像（以下、複数のボタン画像）を表示する表示手段と、
所望の数字や文字等の値を入力するための複数のボタンが配設された選択入力手段と、
装置各部を制御する制御手段とを備えるパスワード入力装置において、
前記複数のボタン画像のそれぞれに、数字や文字等の値をランダムに割当てるための割当手段と、
前記割当手段による割当結果を反映した複数のボタン画像を有する選択入力画像を生成するための選択入力画像生成手段と、
入力されたパスワードの各桁の値が正しいか否かを判断するパスワード値判断手段とをさらに備え、
前記制御手段は、
ユーザによるパスワードの入力が開始されるときに、前記割当手段による前記複数のボタン画像への数字や文字等の値の割当てを行った後、前記選択入力画像生成手段を用いて前記割当て結果を反映した選択入力画像の生成を行い、生成された前記選択入力画像を前記表示手段に表示させて、
ユーザによって前記選択入力手段に配設された複数のボタンのうちの任意のボタンが選択されると、選択されたボタンの配置に対応する前記選択入力画像のボタン画像に割当てられた値を前記パスワードの各桁として入力した後、
前記パスワード値判断手段を用いて、入力された桁のパスワードの値が、正しいか否かを判断し、この結果、入力された桁のパスワードの値が正しくない場合、前記表示手段に、入力された桁のパスワードの値が間違っている旨のメッセージを表示すると共に、この間違った桁のパスワードの再入力を促すことを特徴とするパスワード入力装置。
【請求項２】
前記制御手段は、前記パスワード値判断手段による１桁目のパスワードの値が正しく、前記パスワード値判断手段による２桁目以降のパスワードの値が正しくない場合に限り、前記表示手段に、入力された桁のパスワードの値が間違っている旨のメッセージを表示すると共に、この間違った桁のパスワードの再入力を促すことを特徴とする請求項１に記載のパスワード入力装置。
【発明の詳細な説明】
【技術分野】
【０００１】
本発明は、パスワード入力装置に関し、特にパスワード入力操作の手間を軽減させることができるパスワード入力装置に関する。
【背景技術】
【０００２】
従来から、Ｖチップを備えたテレビ（ＴＶ）受像機等において、対象のＴＶ番組を表示するときに、ユーザにパスワードの入力を促すことがある。パスワードの入力は、一般的に配列が固定された入力キーを用いて、パスワードの入力を行うものが多いため、第三者がカーソルの位置を視認することにより、パスワードが漏洩してしまうことがあるという問題がある。
【０００３】
これに対して、特許文献１には、配列が固定されていない入力キーを用いて、ユーザがパスワードの入力を行うパスワード入力装置が開示されている。また、特許文献２には、パスワードを入力したときに、ダミーパスワードを表示させるパスワード入力装置が知られている。これらのパスワード入力装置によれば、第三者がカーソルの位置を視認することによるパスワードの漏洩を防止することができる。
【０００４】
また、特許文献３には、１つの入力キーに複数の文字や記号を割当てると共に、ユーザによって入力された文字や記号を隠蔽して表示するパスワード入力装置が開示されている。また、特許文献４には、パスワードを１文字入力する毎に、入力キーの文字列をランダムに再配置するパスワード入力装置が開示されている。また、特許文献５には、ユーザによって入力されたパスワードに、パスワードとは無関係のランダムなダミー数字を嵌め込むパスワード入力装置が開示されている。これらのパスワード入力装置であっても、第三者がカーソルの位置を視認することによるパスワードの漏洩を防止することができる。
【０００５】
ところで、従来から、入力されたパスワードが正しいか否かの判断は、パスワードの入力が完了した後、「入力」ボタン等が押下されたときに判断された。そのため、ユーザによって入力されたパスワードが正しくない場合、ユーザは最初の桁からパスワードを再入力しなければならず、パスワードの入力操作が煩雑であるという問題がある。これに対して、特許文献１乃至５には、ユーザによるパスワード入力操作の手間を軽減させる開示がない。
【特許文献１】特開２００７−２７２４２４号公報
【特許文献２】特開２００７−２７２４２２号公報
【特許文献３】特開２００４−３２６５２５号公報
【特許文献４】特開２００３−６７３４１号公報
【特許文献５】特開２０００−１８２１２１号公報
【発明の開示】
【発明が解決しようとする課題】
【０００６】
本発明は、上述した問題点を解決するためになされたものであり、パスワードの漏洩を防止することができると共に、ユーザにとってパスワードを再入力する際の手間を軽減させることができるパスワード入力装置を提供することを目的とする。
【課題を解決するための手段】
【０００７】
上記目的を達成するために請求項１の発明は、各種メッセージや、複数の数字や文字等のボタン画像（以下、複数のボタン画像）を表示する表示手段と、所望の数字や文字等の値を入力するための複数のボタンが配設された選択入力手段と、装置各部を制御する制御手段とを備えるパスワード入力装置において、前記複数のボタン画像のそれぞれに、数字や文字等の値をランダムに割当てるための割当手段と、前記割当手段による割当結果を反映した複数のボタン画像を有する選択入力画像を生成するための選択入力画像生成手段と、入力されたパスワードの各桁の値が正しいか否かを判断するパスワード値判断手段とをさらに備え、前記制御手段は、ユーザによるパスワードの入力が開始されるときに、前記割当手段による前記複数のボタン画像への数字や文字等の値の割当てを行った後、前記選択入力画像生成手段を用いて前記割当て結果を反映した選択入力画像の生成を行い、生成された前記選択入力画像を前記表示手段に表示させて、ユーザによって前記選択入力手段に配設された複数のボタンのうちの任意のボタンが選択されると、選択されたボタンの配置に対応する前記選択入力画像のボタン画像に割当てられた値を前記パスワードの各桁として入力した後、前記パスワード値判断手段を用いて、入力された桁のパスワードの値が、正しいか否かを判断し、この結果、入力された桁のパスワードの値が正しくない場合、前記表示手段に、入力された桁のパスワードの値が間違っている旨のメッセージを表示すると共に、この間違った桁のパスワードの再入力を促すものである。
【０００８】
請求項２に記載の発明は、請求項１に記載のパスワード入力装置において、前記制御手段は、前記パスワード値判断手段による１桁目のパスワードの値が正しく、前記パスワード値判断手段による２桁目以降のパスワードの値が正しくない場合に限り、前記表示手段に、入力された桁のパスワードの値が間違っている旨のメッセージを表示すると共に、この間違った桁のパスワードの再入力を促すものである。
【発明の効果】
【０００９】
請求項１の発明によれば、複数のボタン画像への数字や文字等の値の割当てを行った後、ユーザによって複数のボタンのうちの任意のボタンが選択されると、選択されたボタンの配置に対応するボタン画像に割当てられた値を前記パスワードの各桁として入力するので、第三者がカーソルの位置を視認することによるパスワードの漏洩を防止することができる。
【００１０】
また、入力された桁のパスワードの値が正しいか否かを判断し、この結果、入力された桁のパスワードの値が正しくない場合、入力された桁のパスワードの値が間違っている旨のメッセージを表示する。そのため、パスワードの入力が全て完了する前に、ユーザは間違っている桁のパスワードの値を再入力することができるので、ユーザにとってパスワードを再入力する際の手間を軽減させることができる。
【００１１】
請求項２の発明によれば、パスワード値判断手段による１桁目のパスワードの値が正しく、パスワード値判断手段による２桁目以降のパスワードの値が正しくない場合に限り、表示手段に、入力された桁のパスワードの値が間違っている旨のメッセージを表示すると共に、この間違った桁のパスワードの再入力を促すので、第三者によるパスワードの推測を防止することができる。
【発明を実施するための最良の形態】
【００１２】
本発明の一実施形態に係るテレビジョン（以下、ＴＶ）システムについて、図１及び図２を参照して説明する。図１は、ＴＶ受像機（パスワード入力装置）２とリモコン装置（選択入力手段）３を含むＴＶシステム１の外観を示し、図２は、ＴＶ受像機２の概略構成を示すブロック図であり、図３は、リモコン装置３の平面図である。
【００１３】
ＴＶ受像機２は、ＴＶ放送番組や、各種メッセージや、複数の数字や文字等のボタン画像（以下、「複数のボタン画像」という）等を表示するためのディスプレイ（表示手段）２１と、音声を出力可能なスピーカ２２と、外部のアンテナに接続され、このアンテナにより受信されるＴＶ放送の所望の番組を選局するチューナ２３と、ＴＶ受像機２の筐体外部に露出するように設けられた端子部２４と、装置本体とは別体となるリモコン装置３から送信された操作信号を受信する受信部２５とを備える。
【００１４】
また、ＴＶ受像機２は、ＴＶ受像機２の装置各部の制御を行うための制御用マイコン（制御手段）２０と、制御用マイコン２０を動作させるためのプログラム等が記憶されたメモリ２６と、インターネット等のネットワークにＬＡＮケーブルを介して接続するためのネットワークインタフェース２７とをさらに備える。
【００１５】
ＴＶ受像機２は、制御用マイコン２０による制御に基づき、例えばチューナ２３により選局されたＴＶ放送番組や、端子部２４にケーブルを介して接続されたＤＶＤプレーヤ（図示せず）等から入力される画像・音声等や、ネットワークインタフェース２７を介してインターネット上から受信した画像・音声等を、ディスプレイ２１やスピーカ２２を介して視聴可能にすることができるように構成されている。
【００１６】
制御用マイコン２０は、請求項における割当手段、選択入力画像生成手段、及びパスワード値判断手段として機能する。また、制御用マイコン２０には、Ｖチップ（Ｖ−Ｃｈｉｐ）２０ａが内蔵されている。制御用マイコン２０は、ＴＶ放送番組を再生するとき、Ｖチップ２０ａを用いて、このＴＶ放送番組に暴力や性的描写などの過激な内容が含まれているか否かを判断する。具体的には、Ｖチップ２０ａが、ＴＶ放送番組に組み込まれる情報に基づいて、ＴＶ放送番組に過激な内容が含まれている否かを判断する。この判断の結果、過激な内容が含まれている場合、制御用マイコン２０が、ＴＶ放送番組を再生しないで、ユーザに対して視聴認証用のパスワード入力を促すメッセージやパスワード入力画面をディスプレイ２１に表示する。
【００１７】
リモコン装置３は、所望の数字や文字等の値を入力するための複数のキー（ボタン）が配設されており、図３に示すように、「０」乃至「９」の１０個の数字に対応する「０」〜「９」までの数字キー３３ａ〜３３ｊと、上下左右に押下可能な十字キー３４と、「−」キー３３ｋと、決定キーｌと、音声再生時などにスピーカ２２から出力する音量値の調節や各種設定の選択を行うための左右キー３５ａ、３５ｂとを備える。また、リモコン装置３は、ＴＶ受像機２に対して操作信号を送信するための送信部３１をさらに備える。
【００１８】
次に、パスワードの入力時におけるパスワード入力画面について、図４及び図５を参照して説明する。図４は、ディスプレイ２１に表示されたパスワード入力画面を示し、図５は、複数のボタン画像１２２ａ〜１２２ｊに割当てられる数字の一例を示す。ここでは、ＴＶ放送番組に過激な内容が含まれており、視聴認証用のパスワードの入力が促されているものとする。
【００１９】
ディスプレイ２１には、複数のボタン画像１２２ａ〜１２２ｊを含む選択入力画像１２２や、入力されたパスワードを表示するパスワード入力画像１２３や、パスワードの入力を促すメッセージ画像１２４が表示されている。
【００２０】
選択入力画像１２２内のボタン画像１２２ａ〜１２２ｊのそれぞれには、制御用マイコン２０によって数字や文字等の値がランダムに割当てられている。ここでは、ボタン画像１２２ａ〜１２２ｊのそれぞれに「０」〜「９」の数字のいずれかが割当てられているものとする。なお、ボタン画像１２２ａ〜１２２ｊのそれぞれには、数字や文字等の値をランダムに割当てるため、上記図４に示した割当に限られず、例えば、図５に示すような数字を割当ててもよい。
【００２１】
また、ボタン画像１２２ａ〜１２２ｊは、リモコン装置３の数字キー３３ａ〜３３ｊのそれぞれに対応しており、ユーザがリモコン装置３に配設された数字キー３３ａ〜３３ｊのうちの任意の数字キーを選択すると、制御用マイコン２０は、ユーザによって選択された数字キーの配置に対応するボタン画像１２２ａ〜１２２ｊに割当てられた値をパスワードの各桁として入力する。
【００２２】
具体的には、複数のボタン画像１２２ａ〜１２２ｊのそれぞれに対して図４に示す値が割り当てられているとすると、ユーザによってリモコン装置３の「１」キー３３ａが選択された場合、「１」キー３３ａの配置に対応するボタン画像はボタン画像１２２ａであり、このボタン画像１２２ａに割当てられた「９」の値がパスワードとして入力される。また、複数のボタン画像１２２ａ〜１２２ｊのそれぞれに対して図５に示す値が割り当てられている場合、ユーザによってリモコン装置３の「１」キー３３ａが選択されると、「１」キー３３ａの配置に対応するボタン画像１２２ａに割当てられた「８」の値がパスワードとして入力される。
【００２３】
パスワード入力画像１２３には、入力されたパスワード値が隠蔽された文字として表示される。ここでは、隠蔽文字として「＊」文字が表示されるものとする。また、ここでは、４桁のパスワードが入力されるものとし、パスワード入力画像１２３は、入力される４桁のパスワードのうちの１桁目に対応するパスワード値を表示するための第１パスワード入力画像１２３ａと、４桁のパスワードのうちの２桁目に対応するパスワード値を表示するための第２パスワード入力画像１２３ｂとを有する。また、パスワード入力画像１２３は、入力される４桁のパスワードのうちの３桁目に対応するパスワード値を表示するための第３パスワード入力画像１２３ｃと、４桁のパスワードのうちの４桁目に対応するパスワード値を表示するための第４パスワード入力画像１２３ｄとをさらに有する。
【００２４】
次に、パスワード入力時における選択入力画像の表示処理について、図６に示すフローチャートを参照して説明する。まず、制御用マイコン２０は、ユーザによるパスワードの入力が開始されるときに、複数のボタン画像１２２ａ〜１２２ｊへの数字や文字等の値の割当てを行った後（Ｓ１）、割当て結果を反映した選択入力画像１２２の生成を行い（Ｓ２）、生成された選択入力画像１２２をディスプレイ２１に表示させる（Ｓ３）。
【００２５】
次に、パスワード入力処理の手順について、図７に示すフローチャートを参照して説明する。ここでは、予め図６に示した処理が行われており、ディスプレイ２１には、選択入力画像１２２が表示されているものとする。また、選択入力画像１２２の複数のボタン画像１２２ａ〜１２２ｊのそれぞれには、上記図４に示した値が割当てられているものとし、入力されるパスワードは４桁であるものとする。
【００２６】
まず、ユーザによって各数字キー３３ａ〜３３ｊのうち任意のキーが選択されて、パスワードの１桁目が入力されると（Ｓ１１）、制御用マイコン２０は、入力された１桁目のパスワードの値が正しいか否かを判断する（Ｓ１２）。
【００２７】
上記Ｓ１２の判断の結果、１桁目のパスワードの値が正しくない場合（Ｓ１３でＮＯ）、制御用マイコン２０は、ディスプレイ２１上に、最初からパスワードの再入力を促すメッセージを表示する（Ｓ３１）。そして、上記Ｓ１１以降の処理を再度行う。
【００２８】
一方、上記Ｓ１２の判断の結果、１桁目のパスワードの値が正しい場合（Ｓ１３でＹＥＳ）、ユーザによって各数字キー３３ａ〜３３ｊのうち任意のキーが選択されて、パスワードの２桁目が入力されると（Ｓ１４）、制御用マイコン２０は、入力された２桁目のパスワードの値が正しいか否かを判断する（Ｓ１５）。
【００２９】
上記Ｓ１５の判断の結果、２桁目のパスワードの値が正しくない場合（Ｓ１６でＮＯ）、制御用マイコン２０は、ディスプレイ２１上に、２桁目のパスワードの値が間違っている旨のメッセージを表示すると共に、この間違った桁のパスワードの再入力を促すメッセージを表示する（Ｓ３２）。そして、上記Ｓ１４以降の処理を再度行う。
【００３０】
一方、上記Ｓ１５の判断の結果、２桁目のパスワードの値が正しい場合（Ｓ１６でＹＥＳ）、ユーザによって各数字キー３３ａ〜３３ｊのうち任意のキーが選択されて、３桁目のパスワードが入力されると（Ｓ１７）、制御用マイコン２０は、入力された３桁目のパスワードの値が正しいか否かを判断する（Ｓ１８）。
【００３１】
上記Ｓ１８の判断の結果、３桁目のパスワードの値が正しくない場合（Ｓ１９でＮＯ）、制御用マイコン２０は、ディスプレイ２１上に、３桁目のパスワードの値が間違っている旨のメッセージを表示すると共に、この間違った桁のパスワードの再入力を促すメッセージを表示する（Ｓ３３）。そして、上記Ｓ１７以降の処理を再度行う。
【００３２】
一方、上記Ｓ１８の判断の結果、３桁目のパスワードの値が正しい場合（Ｓ１９でＹＥＳ）、ユーザによって各数字キー３３ａ〜３３ｊのうち任意のキーが選択されて、４桁目のパスワードが入力されると（Ｓ２０）、制御用マイコン２０は、入力された４桁目のパスワードの値が正しいか否かを判断する（Ｓ２１）。
【００３３】
上記Ｓ２１の判断の結果、４桁目のパスワードの値が正しくない場合（Ｓ２２でＮＯ）、制御用マイコン２０は、ディスプレイ２１上に、４桁目のパスワードの値が間違っている旨のメッセージを表示すると共に、この間違った桁のパスワードの再入力を促すメッセージが表示する（Ｓ３４）。そして、上記Ｓ２０以降の処理を再度行う。
【００３４】
一方、上記Ｓ２１の判断の結果、４桁目のパスワードの値が正しい場合（Ｓ２２でＹＥＳ）、パスワードの入力処理を終了する。
【００３５】
次に、入力された各桁目のパスワードの値が正しくない場合におけるディスプレイ２１上の表示メッセージについて、図８を参照して説明する。図８は、上記Ｓ３２の処理におけるエラーメッセージを示す。ここでは、２桁目のパスワードの値が正しくないので、ディスプレイ２１には、「２桁目を入れなおして下さい！」というメッセージが表示される。
【００３６】
上述したように、本実施形態に係るＴＶ受像機２においては、複数のボタン画像１２２ａ〜１２２ｊへの数字や文字等の値の割当てを行った後、ユーザによってリモコン装置３における複数の数字キー３３ａ〜３３ｊのうちの任意の数字キーが選択されると、選択された数字キーの配置に対応するボタン画像に割当てられた値がパスワードの各桁として入力されるので、第三者がリモコン装置３の各数字キー３３ａ〜３３ｊ等の操作位置を視認することによるパスワードの漏洩を防止することができる。
【００３７】
また、入力された桁のパスワードの値が正しいか否かを判断し、この結果、入力された桁のパスワードの値が正しくない場合、入力された桁のパスワードの値が間違っている旨のメッセージをディスプレイ２１に表示する。そのため、パスワードの入力が全て完了する前に、ユーザは間違っている桁のパスワードの値を再入力することができるので、ユーザにとってパスワードを再入力する際の手間を軽減させることができる。
【００３８】
また、制御用マイコン２０は、１桁目のパスワードの値が正しくて、２桁目以降のパスワードの値が正しくない場合に限り、ディスプレイ２１に、入力された桁のパスワードの値が間違っている旨のメッセージを表示すると共に、この間違った桁のパスワードの再入力を促すので、第三者によるパスワードの推測を防止することができる。
【００３９】
なお、本発明は、上記実施形態の構成に限られず、発明の趣旨を変更しない範囲で種々の変形が可能である。例えば、３桁目以降のパスワードの値が正しくないときに限り、間違った桁のパスワードの再入力を促してもよい。
【図面の簡単な説明】
【００４０】
【図１】本発明の一実施形態に係るＴＶ受像機とリモコン装置を含むＴＶシステムの概略構成を示す図。
【図２】上記ＴＶ受像機の概略構成を示すブロック図。
【図３】上記リモコン装置の平面図。
【図４】上記ＴＶ受像機におけるパスワード入力画面を説明する図。
【図５】上記ＴＶ受像機における選択入力画像の一例を示す図。
【図６】上記ＴＶ受像機における選択入力画像の表示処理の手順を説明するフローチャート。
【図７】上記ＴＶ受像機におけるパスワード入力処理の手順を説明するフローチャート。
【図８】上記ＴＶ受像機におけるエラーメッセージの表示を説明する図。
【符号の説明】
【００４１】
２  ＴＶ受像機（パスワード入力装置）
３  リモコン装置（選択入力手段）
２０  制御用マイコン（割当手段、選択入力画像生成手段、パスワード値判断手段、制御手段）
２１  ディスプレイ（表示手段）
３３ａ〜３３ｊ  数字キー（ボタン）
１２２  選択入力画像
１２２ａ〜１２２ｊ  ボタン画像
【図１】
2009301208.tif 000003
【図２】
2009301208.tif 000004
【図３】
2009301208.tif 000005
【図４】
2009301208.tif 000006
【図５】
2009301208.tif 000007
【図６】
2009301208.tif 000008
【図７】
2009301208.tif 000009
【図８】
2009301208.tif 000010